(57)【要約】      （修正有）【課題】黄金比を使用した文字類の作成方法とその文字類と文字類作成用紙を提供する。【解決手段】文字類作成方法は、縦横比が黄金比である黄金矩形内にその内部を正方形と縦横比が黄金比である黄金矩形とに区画する区画線を表示し、区画された黄金矩形内にその内部を正方形と黄金矩形とに区画する区画線を表示し、この区画を所望回数繰り返して形成される黄金矩形と正方形の輪郭線と区画線の全部又は一部とによって文字類を作成する。一部の区画線を、区画する黄金矩形に隣接する正方形又は黄金矩形内まで延長しての表示、一部の区画線を、区画する黄金矩形の途中までの表示、黄金矩形内に区画線とは別に直線や曲線の表示を可能とし、黄金矩形と正方形の全部によって又は一部を削除することによって文字類を作成する。【選択図】図２
2009157744.tif 000002
【特許請求の範囲】
【請求項１】
縦横比が黄金比である黄金矩形内にその内部を正方形と縦横比が黄金比である黄金矩形とに区画する区画線を表示し、区画された黄金矩形内にその内部を正方形と黄金矩形とに区画する区画線を表示し、この区画を所望回数繰り返して形成される黄金矩形と正方形の輪郭線と区画線の全部又は一部によって文字類を作成することを特徴とする文字類作成方法。
【請求項２】
請求項１記載の文字類作成方法において、一部の区画線を、区画する黄金矩形に隣接する正方形又は黄金矩形内まで延長して表示することを特徴とする文字類作成方法。
【請求項３】
請求項１又は請求項２記載の文字類作成方法において、一部の区画線を、区画する黄金矩形の途中まで表示することを特徴とする文字類作成方法。
【請求項４】
請求項１乃至請求項３のいずれかに記載の文字類作成方法において、黄金矩形内に区画線とは別に直線や曲線を表示することを特徴とする文字類作成方法。
【請求項５】
請求項１乃至請求項４のいずれかに記載の文字類作成方法によって作成された黄金矩形と正方形の一部を削除して文字類を作成することを特徴とする文字類作成方法。
【請求項６】
請求項１乃至請求項５のいずれかに記載の文字類作成方法で作成された黄金矩形と正方形の全部によって又は黄金矩形と正方形の一部を削除した残りの黄金矩形と正方形によって表現された文字類。
【請求項７】
次の１〜６の構成を備えたことを特徴する文字類作成用紙。
１．縦横比が黄金比である黄金矩形内に、その黄金矩形の短辺の一方を一辺とする正方向と黄金矩形とに区画する区画線と、短辺の他方を一辺とする正方形と黄金矩形とに区画する区画線が表示され、
２．夫々の区画線で区画された新たな二つの黄金矩形内に、その黄金矩形の短辺の一方を一辺とする正方向と黄金矩形とに区画する区画線と、短辺の他方を一辺とする正方形と黄金矩形とに区画する区画線が表示され、
３．前記区画線の双方又は／及び一方を延長して両区画線を連結する延長線が隣接する四角形内に表示され、
４．前記区画線表示又は／及び延長線表示を所望回数繰り返し、
５．前記黄金矩形の輪郭線、区画線、延長線を用紙上に描線パターンとして表示し、
６．その描線パターンを利用して直線、曲線、図形などを表示して文字類を作成可能とした。
【請求項８】
次の１〜６の構成を備えたことを特徴する文字類作成用紙。
１．縦横比が黄金比である黄金矩形内に、その黄金矩形の短辺の一方を一辺とする正方向と黄金矩形とに区画する区画線と、短辺の他方を一辺とする正方形と黄金矩形とに区画する区画線が表示され、
２．夫々の区画線で区画された二つの黄金矩形内に、その黄金矩形の短辺の一方を一辺とする正方向と黄金矩形とに区画する区画線と、短辺の他方を一辺とする正方形と黄金矩形とに区画する区画線が表示され、
３．前記区画線の双方又は／及び一方を延長して両区画線を連結する延長線が隣接する四角形内に表示され、
４．前記区画線で区画された四つの黄金矩形の夫々の内部に、その黄金矩形の短辺の一方を一辺とする正方向と黄金矩形とに区画する区画線と、短辺の他方を一辺とする正方形と黄金矩形とに区画する区画線が表示され、
５．前記区画線の双方又は／及び一方を延長して両区画線を連結する延長線が隣接する四角形内に表示され、
６．前記黄金矩形の輪郭線及び各区画線を描線パターンとして用紙上に表示し、その描線パターンを利用して直線、曲線、図形などを表示して文字類を作成可能とした。
【発明の詳細な説明】
【技術分野】
【０００１】
本発明は、漢字、平仮名、片仮名、英字、数字といった各種文字、記号、符号、図案、ロゴマーク等（以下「文字類」と記す。）の作成方法と、その方法で作成された文字類と、その文字類の作成に使用される文字類作成用紙に関するものである。
【背景技術】
【０００２】
従来、四角形の縦横比として最も美しいとされる黄金比（１：１．６１８）は広く知られており、例えば、名刺やたばこの箱等の縦横比はこの黄金比に設計されている。
【発明の開示】
【発明が解決しようとする課題】
【０００３】
文字、記号、図案、ロゴマーク等の表現方法には各種手法があるが黄金比を用いた文字、記号、符号、図案、ロゴマーク等はなかった。
【課題を解決するための手段】
【０００４】
本発明は、黄金比を効果的に使用して、これまで存在しなった形態、美感、イメージ等の文字類を作成可能な文字類作成方法と、その方法で作成された文字類と、その文字類の作成に使用される文字類作成用紙を提供するものである。
【０００５】
本件発明の文字類作成方法は、縦横比が黄金比である黄金矩形内にその内部を正方形と縦横比が黄金比である黄金矩形とに区画する区画線を表示し、区画された黄金矩形内にその内部を正方形と黄金矩形とに区画する区画線を表示し、この区画を所望回数繰り返して形成される黄金矩形と正方形の輪郭線と区画線の全部又は一部とによって文字類を作成する方法である。この作成方法において、一部の区画線を、区画する黄金矩形に隣接する正方形又は黄金矩形内まで延長して表示することも、一部の区画線を、区画する黄金矩形の途中まで表示することも、黄金矩形内に区画線とは別に直線や曲線を表示することもできる。
【０００６】
本件発明の文字類作成方法は、前記文字類作成方法によって策された黄金矩形と正方形の一部を削除して、残りの黄金矩形と正方形によって文字類を作成することもできる。
【０００７】
本件発明の文字類は前記文字類作成方法で作成された黄金矩形と正方形の全部によって又は黄金矩形と正方形の一部を削除した残りの黄金矩形と正方形によって表現された文字類である。
【０００８】
本件発明の文字類作成用紙は、次の１〜６の構成を備えたものである。
１．縦横比が黄金比である黄金矩形内に、その黄金矩形の短辺の一方を一辺とする正方向と黄金矩形とに区画する区画線と、短辺の他方を一辺とする正方形と黄金矩形とに区画する区画線が表示され、
２．夫々の区画線で区画された新たな二つの黄金矩形内に、その黄金矩形の短辺の一方を一辺とする正方向と黄金矩形とに区画する区画線と、短辺の他方を一辺とする正方形と黄金矩形とに区画する区画線が表示され、
３．前記区画線の双方又は／及び一方を延長して両区画線を連結する延長線が隣接する四角形内に表示され、
４．前記区画線表示又は／及び延長線表示を所望回数繰り返し、
５．前記黄金矩形の輪郭線、区画線、延長線を用紙上に描線パターンとして表示し、
６．その描線パターンを利用して直線、曲線、図形などを表示して文字類を作成可能とした。
【０００９】
本件発明の文字類作成用紙は、次の１〜６の構成を備えたものである。
１．縦横比が黄金比である黄金矩形内に、その黄金矩形の短辺の一方を一辺とする正方向と黄金矩形とに区画する区画線と、短辺の他方を一辺とする正方形と黄金矩形とに区画する区画線が表示され、
２．夫々の区画線で区画された二つの黄金矩形内に、その黄金矩形の短辺の一方を一辺とする正方向と黄金矩形とに区画する区画線と、短辺の他方を一辺とする正方形と黄金矩形とに区画する区画線が表示され、
３．前記区画線の双方又は／及び一方を延長して両区画線を連結する延長線が隣接する四角形内に表示され、
４．前記区画線で区画された四つの黄金矩形の夫々の内部に、その黄金矩形の短辺の一方を一辺とする正方向と黄金矩形とに区画する区画線と、短辺の他方を一辺とする正方形と黄金矩形とに区画する区画線が表示され、
５．前記区画線の双方又は／及び一方を延長して両区画線を連結する延長線が隣接する四角形内に表示され、
６．前記黄金矩形の輪郭線及び各区画線を描線パターンとして用紙上に表示し、その描線パターンを利用して直線、曲線、図形などを表示して文字類を作成可能とした。
【発明の効果】
【００１０】
本件出願の文字類作成方法は次のような効果がある。
（１）縦横比が黄金比である黄金矩形内にその内部を分割線により正方形と黄金矩形とに分割し、分割された黄金矩形内を分割線により正方形と黄金矩形とに分割し、その繰り返しにより形成される黄金矩形と正方形の輪郭線及び各区画線の一部又は全部によって文字類を作成するので、黄金比の区画を二以上備えた美しく安定した文字類を作成することができる。
（２）一部の区画線を、区画する黄金矩形に隣接する正方形又は黄金矩形内まで延長して表示したり、区画する黄金矩形の途中まで表示したりするので、複雑な文字類でも作成でき、バリエーションに富んだ文字を作成することもできる。
（３）黄金矩形内に区画線とは別に直線や曲線を表示するので、黄金矩形と正方形の輪郭線や区画線だけでは表現しにくい、或いは表現できない文字類を作成することもできる。
（４）区画線で区画された二以上の黄金矩形と正方形の全部によって又は一部を削除して文字類を作成するので、黄金矩形や正方形のブロックの組み合わせで表現された文字類を作成することができる。
【００１１】
本件出願の文字類は、前記各文字類作成方法を使用して作成されているので、黄金比を効果的に利用して、これまで存在しなかった形態、美感、イメージ等を表示することができる。
【００１２】
本件出願の文字類作成用紙は、黄金矩形の輪郭線及び黄金矩形内部の区画線及び延長線を描線パターンとして用紙上に表示し、その描線パターンに基づいて直線や曲線や図形を表示して文字類を作成可能としたので、一定のパターンの下に統一され、美しく安定した文字類を容易に作成できるようになる。
【発明を実施するための最良の形態】
【００１３】
（文字類作成方法及びその方法で作成される文字類の実施形態）
本発明の文字類作成方法は、図１（ａ）〜（ｆ）、図２（ａ）〜（ｅ）に示すように、縦横比が黄金比（１：１．６１８）である四角形（以下「黄金矩形」）１内を区画線で区画して各種文字、記号、図案、ロゴマーク等の文字類を作成する方法である。この文字類作成方法は「ある黄金矩形において短辺を一辺とする正方形を取り除くと残る部分は黄金矩形になる」という黄金矩形独自の性質を利用して文字類を作成する方法である。また、本件出願の文字類は、前記文字類作成方法によってさくせいされた文字類（漢字、平仮名、片仮名、英字、数字といった各種文字、記号、符号、図案、ロゴマーク等）である。
【００１４】
（実施例１）
この文字類作成方法によって「吉田」の文字を作成する場合を一例として図１（ａ）〜（ｆ）、図２（ａ）〜（ｅ）に基づいて説明する。なお、説明の都合上、図中の正方形部分には真円を破線で表示して正方形を判別し易くしてあるが、この真円は実際には表示しないものとする。
（１）基本（区画の元）となる黄金矩形１の縦横比は１：１．６１８の黄金比となっている（図１ａ）。
（２）前記黄金矩形１内に区画線２を縦に表示して黄金矩形１を左右に区画し（図１ｂ）、左側を基本の黄金矩形１の短辺を一辺とする正方形３に、右側を縦長の黄金矩形４にする。
（３）先に区画された縦長の黄金矩形４内に区画線５を横に表示して黄金矩形４を上下に区画し（図１ｃ）、下側を黄金矩形４の短辺を一辺とする正方形６に、上側を横長の黄金矩形７にする。
（４）前記区画線５を黄金矩形４の左に隣接する正方形３の左端まで延長して（図１ｄ）、図１（ｃ）の正方形３を上側の四角形８と下側の四角形９に区画する。
（５）前記黄金矩形７内に区画線１０を縦に表示して黄金矩形７を左右に区画し（図１ｅ）、左側を黄金矩形７の短辺を一辺とする正方形１１に、右側を黄金矩形１２にする。
（６）区画線１０を下に隣接する正方形６の下端まで延長する（図１ｆ）。
（７）図１（ｆ）の四角形８内に直線１３を縦に表示して、左側を前記四角形８の短辺を一辺とする正方形１４に、右側を黄金矩形１５とする（図２ａ）。この黄金矩形１５は、前記黄金矩形７（図１ｃ参照）と同じ大きさとなる。
（８）正方形１４内に二本の直線１６、１７を横に表示して正方形１４内を上下に三分割する（図２ｂ）。
（９）直線１６、１７を右に隣接する黄金矩形１５内に延長して上下に三分割する（図２ｃ）。
（１０）直線１３の下部をカット（削除）することにより（図２ｄ）、これまで表示した区画線１３、１６、１７及び下側の四角形９によって黄金矩形１内の左側に「吉」の文字が、黄金矩形４の輪郭線１８（図２ｄ）及び区画線２、５、１０により黄金矩形１内の右側に「田」の文字が制作される。
上記区画線の表示は前記順番に限られず、最終的に図２（ｅ）に示す「吉田」の文字が完成すれば、任意の手順によることができる。
【００１５】
（実施例２）
本発明の文字類作成方法の第２の実施形態として、射出成型機をイメージした図案を作成する手順を図３（ａ）〜（ｃ）に基づいて説明する。
（１）図案制作の元となる黄金矩形１内に区画線２、５、１０、及び直線１３、１６、１７を表示して、複数の四角形Ａ〜Ｋを作る（図３ａ）。
（２）図３（ａ）における複数の四角形のうちＡ、Ｄ、Ｅ、Ｇ、Ｉ、Ｊの四角形を削除する（図３ｂ）。
（３）残ったＢ、Ｃ、Ｆ、Ｈ、Ｋの四角形を着色して射出成型機のイメージの図案を完成させる（図３ｃ）。図３（ｃ）では全ての四角形に着色してあるが、その一部にのみ着色することも、それら四角形に異なる色や同じ色を着色したり、二色以上の組み合わせにしたりすることもできる。
【００１６】
（実施例３）
本発明の文字類作成方法の第３の実施形態として、アルファベットの「Ｙ」を表す図案を作成する手順を図４（ａ）〜（ｃ）に基づいて説明する。
（１）図案制作の元となる黄金矩形１内に区画線２、５、１０、及び直線１３、１６、１７を表示して、複数の四角形Ａ〜Ｋを作る（図４ａ）。
（２）図４（ａ）における複数の四角形のうち、Ｂ、Ｃ、Ｅ、Ｊ、Ｋの四角形を削除する（図４ｂ）。
（３）四角形Ｈ−Ｉ間、Ｉ−Ｆ間、Ｆ−Ｇ間の線を削除し、四角形Ｈ、Ｉ、Ｆ、Ｇを連結させ、着色してアルファベットの「Ｙ」のイメージの図案を完成させる（図４ｃ）。図４（ｃ）では全ての四角形に着色してあるが、その一部にのみ着色することも、それら四角形に異なる色や同じ色を着色したり、二色以上の組み合わせにしたりすることもできる。
【００１７】
前記各実施例はあくまで一例に過ぎず、本発明の文字類作成方法を用いて作成される文字類はそれらに限定されるものではない。図２（ｄ）では図２（ｃ）のように表示した直線１３の下部を図２（ｄ）のように削除したが、このように、最終的に削除される直線１３は表示しないでおくこともできる。
【００１８】
前記実施例では、区画線５、１０を隣接する正方形３、６内まで延長して表示したが、これら区画線は隣接する正方形や黄金矩形内へ延長させることも延長させないようにすることもできる。また、区画線を、区画する黄金矩形の途中まで表示するようにすることもできる。
【００１９】
黄金矩形内に表示するのは、黄金矩形内を正方形と黄金矩形に区画するための区画線だけではなく、黄金矩形以外の形状に区画するための直線や曲線を表示して、黄金矩形と正方形の輪郭線や区画線だけでは表現できない文字や図案デザインを作成することもできる（図２ａ〜ｃ参照。）。
【００２０】
前記方法で作成される文字類において、区画線によって区画されて表示された黄金矩形や正方形、その他直線や曲線等で表示された各種図形の全部によって又は一部を削除することによって文字類を作成することもできる。この場合、図３（ｃ）のように、区画線や輪郭線、各種直線や曲線を省略し、黄金矩形や正方形等の各種図形部分を着色することもできる。
【００２１】
（文字類作成用紙の実施形態）
本発明の文字類作成用紙の実施形態を図５、図６に基づいて説明する。この文字類作成用紙は、図５（ｉ）、図６に示すような描線パターン２０が紙製、樹脂製といった用紙（図示しない）に多数表示され、夫々の描線パターン２０の線をなぞって直線、曲線、図形等を表示して文字類（図６中太線部分）を作成可能とされたものである。
【００２２】
前記描線パターン２０は、図５（ａ）〜（ｉ）に示すように、次のような手順で作成される。なお、説明の都合上、図中の正方形部分には真円を破線で表示して正方形を判別し易くしてあるが、この真円は実際には表示しないものとする。
（１）用紙上に、描線パターン２０制作の元となる黄金矩形２１を表示する（図５ａ）。
（２）黄金矩形２１を、短辺の一方側（図５ｂの左短辺）を一辺とする正方形と、縦横比が黄金比となる黄金矩形２２とに区画する区画線３０を表示する（図５ｂ）。
（３）同様に、黄金矩形２１を、短辺の他方側（図５ｃの右短辺）を一辺とする正方形と縦横比が黄金比である黄金矩形２２とに区画する区画線３０を表示する（図５ｃ）。
（４）前記区画線３０で区画して作られた二つの黄金矩形２２内に、その黄金矩形２２の短辺の一方側（図５ｄの下短辺）を一辺とする正方向と縦横比が黄金比である黄金矩形２３とに区画する区画線３１を表示する（図５ｄ）。
（５）同様に、黄金矩形２２の短辺の他方側（図５ｅの上短辺）を一辺とする正方形と縦横比が黄金比である黄金矩形２３とに区画する区画線３１を表示する（図５ｅ）。
（６）前記二本の区画線３１を隣接する四角形内まで延長して互いに連結する延長線３３を表示する（図５ｆ）。
（７）前記区画線３１で区画して作られた四つの黄金矩形２３内に、その黄金矩形２３の短辺の一方側（図５ｇの外側短辺）を一辺とする正方向と縦横比が黄金比である黄金矩形２４とに区画する区画線３２を表示する（図５ｇ）。
（８）同様に、黄金矩形２３の短辺の他方側（図５ｈの内側短辺）を一辺とする正方形と縦横比が黄金比である黄金矩形２４とに区画する区画線３２を表示する（図５ｈ）。
（９）前記四本の区画線３２を隣接する四角形内まで延長して対向する区画線３２同士を互いに連結するする延長線３４を表示し、黄金矩形２１の輪郭線及び黄金矩形内部の区画線３０、３１、３２及び延長線３３、３４による描線パターン２０を完成させる。
【００２３】
上記手順によって用紙上に一又は二以上表示された描線パターン２０に基づいて直線、曲線、図形等を表示することによって、図６に示すように、アルファベット、カタカナ、数字、漢字等の各種文字類（図６中太線部分）を作成することができる。描線パターン２０に基づく直線、曲線、図形等の表示は、同図に示すように、黄金矩形２１の輪郭線、各区画線３０〜３２、延長線３３、３４の一部又は全部をなぞったり、各区画線３０〜３２及び延長線３３、３４によって黄金矩形２１内に形成された多数の四角形の角同士を直線又は曲線で結んだりする等して行うことができる。
【００２４】
本発明の文字類作成用紙に使用する用紙は、前記材質以外のもの、例えば木板、金属板、ゴム板等の板材や、樹脂シート、樹脂フィルム等のシート材といった、描線パターン２０を表示できる任意の素材製とすることができる。用紙の形態も特に問わず、例えば一枚ずつバラの用紙、多数枚の用紙がノート状に綴成されたもの、肉厚の台紙状のもの、その他の形態であってもよい。
【００２５】
用紙に表示される描線パターン２０における、黄金矩形の区画回数、区画線や延長線の位置、長さ、本数等は、図５、図６に示すものには限られず、任意とすることができる。また、区画線や延長線のパターンも、図５、図６に示す実線には限られず、破線や一点鎖線とすることもできる。また、一枚の用紙に表示される描線パターン２０の数も一以上の任意数とすることができ、寸法も用途別に各種用意することができる。
【図面の簡単な説明】
【００２６】
【図１】（ａ）〜（ｆ）は、本発明の文字類作成方法を用いて文字類を作成する一例の手順を示す平面説明図。
【図２】（ａ）〜（ｅ）は、前記図１（ａ）〜（ｆ）に示す手順の続きの手順を示す平面説明図。
【図３】（ａ）〜（ｃ）は、本発明の文字類作成方法を用いて文字類を作成する他の一例の手順を示す平面説明図。
【図４】（ａ）〜（ｃ）は、本発明の文字類作成方法を用いて文字類を作成する他の一例の手順を示す平面説明図。
【図５】（ａ）〜（ｉ）は、本発明の文字類作成用紙における描線パターンの作成手順を示す平面説明図。
【図６】本発明の文字類作成用紙上に文字類を作成した様子を示す平面説明図。
【符号の説明】
【００２７】
１  黄金矩形
２  区画線
３  正方形
４  黄金矩形
５  区画線
６  正方形
７  黄金矩形
８  四角形（上側）
９  四角形（下側）
１０  区画線
１１  正方形
１２  黄金矩形
１３  直線
１４  正方形
１５  黄金矩形
１６  直線
１７  直線
１８  輪郭線
２０  描線パターン
２１  黄金矩形
２２  黄金矩形
２３  黄金矩形
２４  黄金矩形
３０  区画線
３１  区画線
３２  区画線
３３  延長線
３４  延長線
【図１】
2009157744.tif 000003
【図２】
2009157744.tif 000004
【図３】
2009157744.tif 000005
【図４】
2009157744.tif 000006
【図５】
2009157744.tif 000007
【図６】
2009157744.tif 000008